(57)【要約】  外筒と、内筒と、制動棒と、前側板バネ及びそのリセットバネと、後側板バネ及びそのリセットバネと、鍵とを含み、前記前側板バネ及び後側板バネは、内筒の軸方向に分布した板バネ溝穴と間隙係合し、前記制動棒は、内筒の軸方向に沿って装着され、制動棒上の制動歯は、前側板バネ及び後側板バネの板バネ歯溝と噛み合う連動式防犯シリンダー錠であって、前側板バネ及び後側板バネを、対向して設けられた移動カムとし、制動棒を従動部材とし、内筒をフレームとして移動カム機構を構成し、前側板バネ及び後側板バネの板バネ歯溝の制動歯は連動して噛み合い、制動棒と係合する制動溝が外筒に設けられたことを特徴とする連動式防犯シリンダー錠。【選択図】図１
2013500408.tif 000002
【特許請求の範囲】
【請求項１】
外筒と、内筒と、制動棒と、前側板バネ及びそのリセットバネと、後側板バネ及びそのリセットバネと、鍵とを備え、
前記前側板バネ及び後側板バネが、前記内筒の軸方向に分布した板バネ溝穴に間隙係合し、
前記制動棒が前記内筒の軸方向に沿って装着され、
前記制動棒上の制動歯が、前記前側板バネ及び後側板バネの板バネ歯溝と噛み合うように構成されている、連動式防犯シリンダー錠であって、
前記前側板バネ及び後側板バネを互いに対向する移動カムとし、前記制動棒を従動部材とし、かつ前記内筒をフレームとした移動カム機構を構成し、
前記前側板バネ及び後側板バネの板バネ歯溝の制動歯が連動して噛み合い、
前記制動棒に係合する制動溝が前記外筒に設けられていることを特徴とする、連動式防犯シリンダー錠。
【請求項２】
前記前側板バネが前位の板バネであり、
前記後側板バネが末位の板バネであり、
前記外筒と、前記内筒と、前記制動棒と、前記前位板バネと、前記末位板バネと、前記鍵とを含み、
前記内筒の軸線方向で間隔を空けて複数の板バネ溝穴が分布し、
前記板バネの中央に鍵穴が設けられ、前記板バネが前記内筒の板バネ溝穴と間隙係合し、
前記内筒の上部に軸線方向に沿って前記制動棒と間隙係合する内筒溝が設けられ、
前記制動棒の前端部に、前記外筒の前端部の周方向溝と係合するボスが設けられ、
前記末位板バネの前側に位置するすべての板バネが前記前位板バネになっており、
前記前位板バネのそれぞれの表面又は裏面に少なくとも１つの前記板バネ歯溝が設けられ、前記前位板バネの板バネ歯溝は、前記板バネ歯溝の上斜面と前記板バネ歯溝の底平面とにより夾角を形成しており、前記前位板バネにおける板バネ歯溝の口の向きは、前記鍵の挿入方向に一致し、前記制動棒の縦方向に間隔を空けて前記前位板バネの板バネ歯溝と噛み合う前位の前記制動歯が分布し、
前記末位板バネの表面又は裏面に少なくとも１つの板バネ歯溝が設けられ、前記末位板バネの板バネ歯溝は上斜面と下斜面とにより夾角をなし、前記末位板バネにおける板バネ歯溝の口の向きは、前記鍵の挿入方向と逆であり、前記制動棒上に末位の前記制動歯が設けられ、前記末位制動歯の一端の形状は、前記前位制動歯と同一であり、隣接する前記前位板バネの板バネ歯溝と噛み合い、他端は、上斜面と下斜面とにより凸角をなし、前記末位板バネの板バネ歯溝と噛み合い、前記制動棒の末位に、前記外筒の底端の制動溝と係合する制動端が設けられ、
前記鍵では、前記鍵の歯が、中間平台と、押し斜面と、引き斜面とからなり、前記中間平台が、前記押し斜面と前記引き斜面との間をつないでおり、前記中間平台のどの部分の縦方向進入長さも、中間平台進入過程にて前記板バネ鍵穴を押し上げたその他の接触面と等しい高さにおける進入長さであるという条件を満たし、前記鍵の全体に少なくとも１つの前記引き斜面が設けられ、前記引き斜面の高さは、前記前位制動歯の高さ、又は階段状の前記引き斜面の高さの和に等しく、前記鍵の先端部に押し斜面が設けられ、前記鍵には、前記中間平台の高さに基づいて番号が付されていること特徴とする、請求項１に記載の連動式防犯シリンダー錠。
【請求項３】
前記前位板バネの板バネ歯溝は、上斜面と前記板バネ歯溝の底平面とからなる直角三角形であり、
前記前位制動歯の横方向の幅は、前記板バネの横方向の幅以上であり、前記前位制動歯の上斜面は、前記制動棒の底平面と夾角をなし、
前記末位板バネの板バネ歯溝は二等辺三角形であり、上斜面と下斜面とは角の二等分線で対称であり、この角の二等分線が、前記制動棒の底平面と平行になっていることを特徴とする、請求項２に記載の連動式防犯シリンダー錠。
【請求項４】
前記前位板バネの板バネ歯溝の上斜面と板バネ歯溝の底平面との夾角が４３°〜６０°であり、
前記前位制動歯の上斜面と制動棒の底平面とからなる夾角が３０°〜６０°であり、
前記制動棒の底平面と板バネ歯溝の底平面とが平行であり、
前記末位板バネの板バネ歯溝が二等辺三角形になっており、上下２つの斜面と角の二等分線との夾角がいずれも４３°〜６０°であり、
前記制動棒における末位制動歯の前記前位板バネの方向を向いた一端の上斜面と底平面との夾角が３０°〜６０°であり、
前記制動棒における末位制動歯の前記末位板バネ方向を向いた一端の凸角を構成する上下２つの斜面と角の二等分線との夾角が、いずれも３０°〜６０°になっていることを特徴とする、請求項２に記載の連動式防犯シリンダー錠。
【請求項５】
前記前位板バネの板バネ歯溝の上斜面と板バネ歯溝の底平面との夾角が４５°であり、
前記制動棒の前位制動歯の上斜面と前記制動棒の底平面とからなる夾角が４５°であり、
前記末位板バネの板バネ歯溝が二等辺三角形になっており、上下２つの斜面と角の二等分線との夾角がいずれも４５°であり、
前記制動棒の末位制動歯の前位板バネ方向を向いた一端の上斜面と底平面との夾角が４５°であり、
前記制動棒における末位制動歯の前記末位板バネの方向を向いた一端の凸角を構成する上下２つの斜面と角の二等分線との夾角が、いずれも４５°になっていることを特徴とする、請求項２又は３に記載の連動式防犯シリンダー錠。
【請求項６】
前記鍵の先端部が４５°以下の押し斜面になっていることを特徴とする、請求項２に記載の連動式防犯シリンダー錠。
【請求項７】
前記前位板バネのそれぞれに、上から下に平行に均等に配置された少なくとも２つの板バネ歯溝が設けられ、
前記板バネ歯溝の方向、大きさ、及び角度が同じであり、
開錠状態で、前記前位板バネのそれぞれで、そのうちの１つの前記板バネ歯溝の底平面が、前記制動棒の前位制動歯の底平面と同一平面に位置していることを特徴とする、請求項２又は３に記載の連動式防犯シリンダー錠。
【請求項８】
前記鍵の各中間平台は互いに平行であり、前記内筒の軸線と平行になっていることを特徴とする、請求項２に記載の連動式防犯シリンダー錠。
【請求項９】
（ａ）前記前位板バネの開錠プロセスにて、前記鍵の進入により、前記鍵の先端部の押し斜面が前記末位板バネ鍵穴の接触面に当接するときに、前記前位板バネ鍵穴の接触面は、すべて前記鍵の中間平台に押された開錠状態にあり、前記前位板バネに連動のない状態の一次開錠を実現し、
（ｂ）前記末位板バネ開錠プロセスにて、前記鍵が進入を継続し、前記鍵の先端部の押し斜面が、前記末位板バネ鍵穴の接触面に当接してから前記中間平台により前記末位板バネ鍵穴の接触面を完全に押すまでのプロセスを完了し、前記末位板バネを下向きに移動させて開錠し、
（ｃ）前記制動棒開錠のプロセスにて、同時に前記末位板バネの移動を用いて、前記末位板バネの板バネ歯溝の上斜面が前記制動棒における末位制動歯の凸角の上斜面を下向きに押し、斜面で前記制動棒を前位板バネの方向に押し動かして移動させることにより、前記制動棒の制動端に、前記外筒底端の制動溝との係合を離脱させ、連動状態の二次開錠を実現し、
（ｄ）同時に、前記制動棒における前位板バネの方向への移動に伴い、前記制動棒の前位制動歯を前記前位板バネの板バネ歯溝と噛み合わせることによって、
開錠ステップが行われる一方で、
（ａ）前記鍵を引き抜くプロセスにて、先ず前記鍵を前記末位板バネの鍵穴から離脱させ、前記末位板バネの上端がバネにより前記外筒溝に入り、施錠位置に戻り、連動のない状態の一次施錠を実現し、
（ｂ）前記鍵を引き抜くプロセスにて、前記鍵の引き斜面によって、その中の１つ又は複数の前記前位板バネを下向きに移動させ、前記前位板バネの下向きの移動とともに、前記前位板バネの板バネ歯溝の上斜面が前記制動棒上の前位制動歯を押すことによって、前記制動棒を前記外筒の底端に向けて縦方向に移動させ、前記制動棒の制動端を前記外筒の底端の制動溝と係合させ、連動状態の二次施錠を実現し、
（ｃ）前記鍵を完全に引き出した後、前記前位板バネの上端がバネによって前記外筒溝に入り、前記末位板バネとともに連動のない状態の一次施錠を完了し、
（ｄ）前記制動棒が前記制動溝の位置に入った後、前記制動棒の末位制動歯の凸角が前記末位板バネの板バネ歯溝と噛み合うことによって、
施錠ステップが行われるように構成されていることを特徴とする、請求項２に記載の連動式防犯シリンダー錠。
【請求項１０】
前記前側板バネが後位の板バネであり、
前記後側板バネが首位の板バネであり、
前記外筒と、前記内筒と、前記制動棒と、１セットの前記後位板バネと、前記首位板バネと、前記鍵とであり、
前記外筒は、上下に対称な軸方向溝、周方向溝、及び外筒の前端部の制動溝を含んでおり、
前記内筒は、外径を前記外筒の内径に対応して間隙係合し、軸方向に沿って間隔を空けて分布した１セットの板バネ溝穴と、軸方向に沿って形成された制動棒スライド溝と、前後を貫通する内筒鍵穴とを含んでおり、
前記制動棒は、前記制動棒スライド溝に間隙係合し、縦方向に沿って間隔を空けて分布した１セットの後位の前記制動歯及び首位の前記制動歯を含み、後端部にボスが形成され、前記周方向溝と間隙係合し、前端部に制動端が形成され、前記制動溝と間隙係合しており、
前記１セットの後位板バネは、前記板バネ溝穴と間隙係合し、前記軸方向溝と間隙係合し、中央に形成された板バネ鍵穴を含み、各後位板バネに少なくとも１つの板バネ歯溝が形成され、
前記首位板バネは、前記板バネ溝穴と間隙係合し、前記軸方向溝と間隙係合し、中央に形成された板バネ鍵穴を含み、少なくとも１つの板バネ歯溝が形成され、
前記鍵は、前記後位板バネの鍵穴及び前記首位板バネの鍵穴と係合し、中間平台、押し斜面及び引き斜面からなる鍵の歯を含み、中間平台は、前記押し斜面と前記引き斜面との間をつなぎ、
前記内筒上の制動棒スライド溝対称面は、前記内筒の垂直対称面と交わり、かつ前記制動棒スライド溝対称面は、前記板バネ溝穴の高さの中央にあり、前記内筒上の制動棒スライド溝は、前記内筒の板バネ溝穴に通じ、
前記後位板バネの板バネ歯溝は、前記後位板バネの前側平面の上下方向中央に形成され、前記後位板バネの板バネ歯溝は、上斜面及び底平面により直角三角形をなし、前記後位板バネの前側平面は、内筒対称面に垂直であり、前記後位板バネの板バネ歯溝の口は、向きを前記鍵の挿入方向と一致させるように組み立てられ、
前記制動棒の後位制動歯の上斜面及び底平面は夾角をなし、前記制動棒後部の後位制動歯は、前記後位板バネの板バネ歯溝に着脱し、
前記首位板バネの板バネ歯溝は、前記首位板バネの後側平面の上下方向中央に形成され、前記首位板バネの板バネ歯溝は、上斜面及び下斜面により夾角をなし、前記首位板バネの後側平面は、内筒対称面に垂直であり、前記首位板バネの板バネ歯溝の口は、向きを前記鍵の挿入方向と逆にして組み立てられ、
前記制動棒上の首位制動歯は、上斜面と下斜面とにより凸角をなし、前記制動棒の首位制動歯は、前記首位板バネの板バネ歯溝に着脱するように構成されていることを特徴とする、請求項１に記載の連動式防犯シリンダー錠。
【請求項１１】
前記首位板バネの板バネ歯溝は二等辺三角形であり、上斜面及び下斜面は角の二等分線で対称であり、前記上斜面及び下斜面の角の二等分線は、前記後位板バネの板バネ歯溝の底平面と平行であるか、又は同一平面上に位置していることを特徴とする、請求項１０に記載の連動式防犯シリンダー錠。
【請求項１２】
前記後位板バネの板バネ歯溝の上斜面と板バネ歯溝の底平面との夾角は４３°〜６０°であり、
前記後位制動歯の上斜面と前記後位制動歯の底平面とからなる夾角は３０°〜６０°であり、前記制動歯底平面と後位板バネの板バネ歯溝の底平面とは平行であり、
前記首位板バネの板バネ歯溝は二等辺三角形になっており、上下２つの斜面と角の二等分線との夾角は、いずれも４３°〜６０°であり、
前記制動棒の首位制動歯は、前記首位板バネの方向を向き、首位制動歯の凸角を構成する上下２つの斜面と角の二等分線との夾角は、いずれも３０°〜６０°になっていることを特徴とする、請求項１０に記載の連動式防犯シリンダー錠。
【請求項１３】
前記後位板バネの板バネ歯溝の上斜面と板バネ歯溝の底平面との夾角は４５°になっており、
前記制動棒の後位制動歯の上斜面と底平面とからなる夾角は４５°であり、
前記首位板バネの板バネ歯溝は二等辺三角形になっており、上下２つの斜面と角の二等分線との夾角は、いずれも４５°であり、
前記制動棒の首位制動歯は、前記首位板バネの方向を向き、前記首位制動歯の上下２つの斜面と角の二等分線との夾角は、いずれも４５°になっていることを特徴とする、請求項１０又は１１に記載の連動式防犯シリンダー錠。
【請求項１４】
前記鍵の先端部の押し斜面と前記鍵の挿入方向との夾角が４５°以下になっていることを特徴とする、請求項１０に記載の連動式防犯シリンダー錠。
【請求項１５】
前記各後位板バネには、上から下に平行に均等に配置された少なくとも１０個の板バネ歯溝が設けられ、前記板バネ歯溝の方向、大きさ、及び角度は同じであり、開錠状態で、各後位板バネ上で、そのうちの１つの前記板バネ歯溝の底平面は、前記制動棒の後位制動歯の底平面と同一平面に位置していることを特徴とする、請求項２又は１１に記載の連動式防犯シリンダー錠。
【請求項１６】
前記鍵の各中間平台は互いに平行であり、前記内筒の軸線と平行になっていることを特徴とする、請求項１０に記載の連動式防犯シリンダー錠。
【請求項１７】
（ａ）前記後位板バネの開錠プロセスにて、前記鍵の進入により、前記鍵の先端部の押し斜面が前記首位板バネ鍵穴の接触面に当接するときに、前記後位板バネ鍵穴の接触面は、すべて前記鍵の中間平台に押された開錠状態にあり、前記後位板バネに連動のない状態の一次開錠を実現し、
（ｂ）前記首位板バネの開錠プロセスにて、前記鍵が進入を継続し、前記鍵の先端部の押し斜面が、前記首位板バネ鍵穴の接触面に当接してから前記中間平台により前記首位板バネ鍵穴の接触面を完全に押すまでのプロセスを完了し、前記首位板バネを下向きに移動させて開錠し、
（ｃ）前記制動棒の開錠プロセスにて、同時に前記首位板バネの縦方向の移動を用いて、前記首位板バネの板バネ歯溝の上斜面が前記制動棒の首位制動歯における凸角の上斜面を下向きに押し、斜面で前記制動棒を前記後位板バネの方向に押し動かして移動させることにより、前記制動棒の制動端にて、前記外筒底端の制動溝との係合を離脱させ、連動状態の二次開錠を実現し、
（ｄ）同時に、前記制動棒の後位板バネ方向への移動に伴い、前記制動棒の後位制動歯を前記後位板バネの板バネ歯溝と噛み合わせることによって、
開錠ステップが行われる一方で
（ａ）前記鍵を引き抜くプロセスにて、先ず前記鍵を前記首位板バネの鍵穴から離脱させ、前記首位板バネの上端がバネにより前記外筒の軸方向溝に入り、施錠位置に戻り、連動のない状態の一次施錠を実現し、
（ｂ）前記鍵を引き抜くプロセスにて、前記鍵の引き斜面によって、その中の１つ又は複数の前記後位板バネを下向きに移動させ、前記後位板バネの下向きの移動とともに、前記後位板バネの板バネ歯溝の上斜面が前記制動棒上の後位制動歯を押すことによって、前記制動棒を前記外筒の前端部に向けて縦方向に移動させ、前記制動棒の制動端を前記外筒の前端部の制動溝と係合させ、連動状態の二次施錠を実現し、
（ｃ）前記鍵を完全に引き出した後、前記後位板バネの上端がバネによって前記軸方向溝に入り、前記首位板バネとともに連動のない状態の一次施錠を完了し、
（ｄ）前記制動棒が前記制動溝の位置に入った後、前記制動棒の首位制動歯の凸角が前記首位板バネの板バネ歯溝と噛み合うことによって、
施錠ステップが行われるように構成されていることを特徴とする、請求項１０に記載の連動式防犯シリンダー錠。
【発明の詳細な説明】
【技術分野】
【０００１】
本発明は、防犯シリンダー錠に関し、詳細には、連動式開閉防犯シリンダー錠に関する。
【背景技術】
【０００２】
板バネ式防犯錠（特許文献１（中国特許出願番号：２００７１０１６０９５８．７，公開番号：ＣＮ１０１１９６０８５））、並びにその開錠及び施錠方式は、以下のとおりである。鍵の挿入プロセスにおいて、鍵の挿入によって、シリンダー錠内の板バネがすべて施錠状態を脱し、内筒の回転の境目上に入るが、この際に内筒は、板バネが施錠状態を脱したために回転できるのではなく、鍵によって円形制御片を転動させることにより、円形制御片が案内棒端部のボスを後方に押し動かして軸方向に移動し、外筒上の溝を脱し、案内棒上の案内棒制動歯と板バネの歯溝とが係合することによって、内筒が完全に開錠状態になる。鍵を抜くプロセスにおいては、抜く位置まで先ず鍵を戻すと、案内棒が後端部のバネにより前向きに軸方向移動し、案内棒上の案内棒制動歯が板バネ上の歯溝を脱し、次いで案内棒上のボスが外筒上の溝に入り、一次施錠が生じ、この際に鍵を抜くことができるようになる。鍵が順番に板バネの鍵穴を抜いた後、この際に各板バネは、案内棒制動歯との噛み合いを脱しているため、バネによって施錠位置に戻ることとなる。これが二次施錠である。
【０００３】
前記板バネ式防犯錠は、卓越した防犯性能を有するが、依然として以下の技術的課題が存在している。
【０００４】
１、従来のバネ錠及び板バネ錠に比べ、二次施錠の機能が追加されているが、板バネ自体については、従来の板バネ錠の開閉との違いがない。すなわち、鍵を開錠し、鍵を抜くプロセスによって、板バネはバネによって施錠位置に戻るか、又は鍵上の案内溝によって施錠位置に戻る。
【０００５】
２、板バネ及び案内棒がそれぞれ施錠するため、円形制御片により両者の噛み合いが実現するが、実質的には、両者が自身の施錠機能を各々実行し、両者の間には受動的な制動関係しかなく、連動による制動関係が実現しなくなっている。これは防犯技術における弱点であり、技術的に開錠する場合に、操作可能な余地を残している。
【０００６】
３、従来のバネであっても、板バネ錠であっても、前記板バネ式防犯錠であっても、鍵は開錠及び施錠プロセスにおいて、開錠機能の役割しか果たさない。鍵連動によって二次施錠機能を実現することによりシリンダー錠の防犯機能をさらに高めることも、開発が期待される技術分野である。
【０００７】
４、複雑な構造のため、金型費が高くなり、工程加工が難しくなっている。バリューエンジニアリングの面から分析しても、多くの余計な機能が存在している。例えば、２つの案内棒、２つの案内棒あり溝、２つのヘッド板バネ歯溝、及び２つの案内棒リセットバネは、それぞれ完全に１つの案内棒、１つの案内棒あり溝、１つのヘッド板バネ歯溝、１つの案内棒リセットバネに変更可能である。
【先行技術文献】
【特許文献】
【０００８】
【特許文献１】中国特許出願公開第１０１１９６０８５号明細書
【発明の概要】
【発明が解決しようとする課題】
【０００９】
本発明は、内部において、連動構造によって実現した二次開錠及び二次施錠の方式により、シリンダー錠の防犯性能をさらに高めるとともに、余計な機能を回避し、かつ構造を簡略化した連動式開閉防犯シリンダー錠を提供することを目的とする。
【課題を解決するための手段】
【００１０】
前述の目的を実現するため、本発明は以下の手段を採用する。
【００１１】
外筒と、内筒と、制動棒と、前側板バネ及びそのリセットバネと、後側板バネ及びそのリセットバネと、鍵とを含み、前記前側板バネ及び後側板バネは、内筒の軸方向に分布した板バネ溝穴と間隙係合し、前記制動棒は、内筒の軸方向に沿って装着され、制動棒上の制動歯は、前側板バネ及び後側板バネの板バネ歯溝と噛み合い、前側板バネ及び後側板バネを互いに対向する移動カムとし、制動棒を従動部材とし、かつ内筒をフレームとして移動カム機構を構成し、前側板バネ及び後側板バネの板バネ歯溝の制動歯は連動して噛み合い、制動棒と係合する制動溝が外筒に設けられている連動式防犯シリンダー錠。この種の状況下で、以下の２種の実施形態が存在する。
【００１２】
（１）前側板バネが前位の板バネであり、後側板バネが末位の板バネであり、詳細は以下のとおりである。外筒と、内筒と、制動棒と、前位板バネと、末位板バネと、鍵とを含み、内筒の軸線方向で間隔を空けて複数の板バネ溝穴が分布し、板バネの中央に鍵穴が設けられ、板バネは内筒の板バネ溝穴と間隙係合し、内筒の上部で軸線方向に沿って制動棒と間隙係合した内筒溝が設けられ、前記制動棒の前端部に、外筒の前端部の周方向溝と係合するボスが設けられている。
【００１３】
末位板バネの前側すべての板バネが前位の板バネであり、各前位板バネの表面又は裏面に少なくとも１つの板バネ歯溝が設けられ、前位板バネの板バネ歯溝は、板バネ歯溝の上斜面と板バネ歯溝の底平面とにより夾角をなし、前位板バネにおける板バネ歯溝の口の向きは、鍵の挿入方向に一致し、制動棒の縦方向で間隔を空けて前位板バネの板バネ歯溝と噛み合う前位の制動歯が分布している。
【００１４】
末位板バネの表面又は裏面に少なくとも１つの板バネ歯溝が設けられ、末位板バネの板バネ歯溝は上斜面と下斜面とにより夾角をなし、末位板バネにおける板バネ歯溝の口の向きは、鍵の挿入方向と逆であり、制動棒上に末位制動歯が設けられ、前記末位制動歯の一端の形状は、前位制動歯と同一であり、隣接する前位板バネの板バネ歯溝と噛み合い、他端は、上斜面と下斜面とにより凸角をなし、末位板バネの板バネ歯溝と噛み合うように構成されている。
【００１５】
前記制動棒の末位に、外筒の底端の制動溝と係合する制動端が設けられている。
【００１６】
前記鍵の歯は、中間平台と、押し斜面と、引き斜面とからなり、中間平台は、押し斜面と引き斜面との間をつないでいる。中間平台のどの部分の縦方向進入長も、中間平台進入プロセスにて板バネ鍵穴を押し上げたその他の接触面と等しい高さにおける進入長であるという条件を満たしている。鍵の全体にて、少なくとも１つの引き斜面を有し、引き斜面の高さは、前位制動歯の高さ、又は階段状の引き斜面の高さの和に等しくなっている。鍵の先端部には、押し斜面が設けられている。鍵は、中間平台の高さに基づき番号を付与している。
【００１７】
前記前位板バネの板バネ歯溝は、上斜面と、板バネ歯溝の底平面とからなる直角三角形である。前記前位制動歯の横方向の幅は、板バネの横方向の幅以上になっている。前位制動歯上斜面は、制動棒の底平面と夾角をなしている。前記末位板バネの板バネ歯溝は二等辺三角形であり、上斜面と下斜面は角の二等分線で対称であり、この角の二等分線は、制動棒の底平面と平行になっている。
【００１８】
前記前位板バネの板バネ歯溝の上斜面と板バネ歯溝の底平面との夾角は４３°〜６０°であり、前記前位制動歯上斜面と制動棒の底平面とからなる夾角は３０°〜６０°であり、制動棒の底平面と板バネ歯溝の底平面とは平行になっている。前記末位板バネの板バネ歯溝は、二等辺三角形を呈し、上下２つの斜面と角の二等分線との夾角は、いずれも４３°〜６０°になっている。前記制動棒における末位制動歯の前位板バネの方向を向いた一端の上斜面と底平面との夾角は３０°〜６０°であり、前記制動棒における末位制動歯の末位板バネの方向を向いた一端の凸角を構成する上下２つの斜面と角の二等分線との夾角は、いずれも３０°〜６０°になっている。
【００１９】
前記前位板バネの板バネ歯溝の上斜面と板バネ歯溝の底平面との夾角は４５°を呈し、前記制動棒の前位制動歯の上斜面と制動棒の底平面とからなる夾角は４５°になっている。前記末位板バネの板バネ歯溝は二等辺三角形を呈し、上下２つの斜面と角の二等分線との夾角は、いずれも４５°になっている。前記制動棒における末位制動歯の前位板バネび方向を向いた一端の上斜面と底平面との夾角は４５°であり、前記制動棒の末位制動歯の末位板バネ方向を向いた一端の凸角を構成する上下２つの斜面と角の二等分線との夾角は、いずれも４５°になっている。
【００２０】
鍵の先端部は、４５°以下の押し斜面になっている。
【００２１】
前記各前位板バネには、上から下に平行に均等に配置された少なくとも２つの板バネ歯溝が設けられ、板バネ歯溝の方向、大きさ、及び角度は同じになっている。開錠状態で、各前位板バネ上で、そのうちの１つの板バネ歯溝の底平面は、制動棒の前位制動歯の底平面と同一平面内に位置している。
【００２２】
前記鍵の各中間平台は互いに平行であり、内筒の軸線と平行になっている。
【００２３】
この種の技術の実施形態において、連動式防犯シリンダー錠の開錠及び施錠ステップは、それぞれ以下のとおりである。
【００２４】
開錠ステップは以下のとおりである。
【００２５】
（ａ）前位板バネの開錠プロセスにて、鍵の進入により、鍵の先端部の押し斜面が末位板バネ鍵穴の接触面に当接するときに、前位板バネ鍵穴の接触面は、すべて鍵の中間平台に押された開錠状態にあり、前位板バネに連動のない状態の一次開錠を実現する。
【００２６】
（ｂ）末位板バネの開錠プロセスにて、鍵が進入を継続し、鍵の先端部の押し斜面が、末位板バネ鍵穴の接触面に当接してから中間平台により末位板バネ鍵穴の接触面を完全に押すまでのプロセスを完了し、末位板バネを下向きに移動させて開錠する。
【００２７】
（ｃ）制動棒の開錠プロセス：同時に末位板バネの移動を用いて、末位板バネの板バネ歯溝の上斜面が移動カムのバンプに相当し、この移動カムのバンプが制動棒の末位制動歯の凸角の上斜面を下向きに押し、斜面で制動棒を前位板バネの方向に押し動かして移動させることにより、制動棒の制動端に、外筒の底端の制動溝との係合を離脱させ、連動状態の二次開錠を実現する。
【００２８】
（ｄ）同時に、制動棒の前位板バネ方向への移動に伴い、制動棒の前位制動歯を前位板バネの板バネ歯溝に噛み合わせる。
【００２９】
施錠ステップは以下のとおりである。
【００３０】
（ａ）鍵を引き抜くプロセスにて、先ず鍵を末位板バネの鍵穴から離脱させ、末位板バネの上端がバネにより外筒溝に入り、施錠位置に戻り、連動のない状態の一次施錠を実現する。
【００３１】
（ｂ）鍵を引き抜くプロセスにて、鍵の引き斜面によって、その中の１つ又は複数の前位板バネを下向きに移動させる。前位板バネの下向きの移動とともに、前位板バネの板バネ歯溝の上斜面が移動カムのバンプに相当し、この移動カムのバンプが制動棒上の前位制動歯を押すことによって、制動棒を外筒の底端に向けて縦方向に移動させ、制動棒の制動端を外筒の底端の制動溝と係合させ、連動状態の二次施錠を実現する。
【００３２】
（ｃ）鍵を完全に引き出した後、前位板バネの上端がバネによって外筒溝に入り、末位板バネとともに連動のない状態の一次施錠を完了する。
【００３３】
（ｄ）制動棒が制動溝の位置に入った後、制動棒の末位制動歯の凸角が末位板バネの板バネ歯溝に噛み合う。
【００３４】
鍵がない状態で、技術的に開錠する場合の分析：
【００３５】
１．前位板バネを押し上げるには、摩擦力によらなければ各前位板バネを１つ１つ開錠位置に入れることができない。前位板バネと内筒との摩擦力は、内筒の回転角が前位板バネに与える圧力によって生じる。内筒は、制動棒の制動端と制動溝との係合で施錠され、転動させることができないため、内筒及び前位板バネは摩擦力を生じることができず、前位板バネを押し上げることができない。その結果、各板バネはバネによって施錠状態に戻る。
【００３６】
２．末位板バネを押し上げるには、制動棒を前位板バネの方向に移動させ、制動棒上の前位制動歯を前位板バネの板バネ歯溝の中に入れる。この際に、末位板バネは開いているが、前位板バネは前位制動歯によって施錠されている。
【００３７】
３．このとき、末位板バネに対する制御を緩めると、末位板バネはバネによって施錠位置に戻ってから、前位板バネを押し上げ、制動棒の制動端を制動溝の位置に戻し、内筒は回転不能である。
【００３８】
４．末位板バネの制御を緩めずに、前位板バネを持ち上げると、前位制動歯は前位板バネの板バネ歯溝と噛み合わせるため、この際に、制動棒は末位板バネによって制止される。そのため、前位板バネを押し上げて縦方向に移動させることができず、前位板バネは依然として施錠位置にある。
【００３９】
本発明で提供する連動式開閉防犯シリンダー錠は、シリンダー錠内部で、従来技術の板バネ、制動棒及び外筒の相互制動が残されているだけでなく、制動棒、板バネ、鍵の相互連動も行っている。この連動構造により実現される二次開錠及び二次施錠によって、技術的に開錠する場合には一度に複数のことを行う必要があり、シリンダー錠の防犯性能が有効に高まる。バリューエンジニアリングにおいても、余計な機能の設計が回避され、構造が有効に簡略化される。
【００４０】
（２）前側板バネは後位の板バネであり、後側板バネは首位の板バネである。詳細は以下のとおりである。上下に対称な軸方向溝、周方向溝、及び外筒の前端部の制動溝を含む外筒。外径が外筒の内径に対応し間隙係合し、軸方向に沿って間隔を空けて分布した１セットの板バネ溝穴と、軸方向に沿って形成された制動棒スライド溝と、前後を貫通する内筒鍵穴とを含む内筒。前記制動棒スライド溝と間隙係合し、縦方向に沿って間隔を空けて分布した１セットの後位の制動歯及び首位の制動歯を含み、後端部にボスが形成され、前記周方向溝と間隙係合し、前端部に制動端が形成され前記制動溝と間隙係合する制動棒。板バネ溝穴と間隙係合し、前記軸方向溝と間隙係合し、中央に形成された板バネ鍵穴を含み、各々に少なくとも１つの板バネ歯溝が形成された１セットの後位板バネ。板バネ溝穴と間隙係合し、前記軸方向溝と間隙係合し、中央に形成された板バネ鍵穴を含み、少なくとも１つの板バネ歯溝が形成された首位板バネ。後位板バネの鍵穴及び首位板バネの鍵穴と係合し、中間平台、押し斜面及び引き斜面からなる鍵の歯を含み、中間平台は、押し斜面と引き斜面との間をつなぐ鍵。
【００４１】
内筒上の制動棒スライド溝対称面は、内筒の垂直対称面と交わり、かつ制動棒スライド溝対称面は、板バネ溝穴の高さの中央にある。内筒上の制動棒スライド溝は、内筒の板バネ溝穴に通じている。
【００４２】
後位板バネの板バネ歯溝は、後位板バネの前側平面の上下方向の中央に形成されている。前記後位板バネの板バネ歯溝は、上斜面及び底平面により直角三角形をなしている。後位板バネの前側平面は、内筒対称面に垂直であり、後位板バネの板バネ歯溝の口は、向きを鍵の挿入方向と一致させるように組み立てられている。制動棒の後位制動歯の上斜面及び底平面は夾角をなし、制動棒後部の後位制動歯は、後位板バネの板バネ歯溝に着脱するように構成されている。
【００４３】
首位板バネの板バネ歯溝は、首位板バネの後側平面の上下方向の中央に形成されている。首位板バネの板バネ歯溝は、上斜面及び下斜面により夾角をなす。首位板バネの後側平面は、内筒対称面に垂直であり、首位板バネの板バネ歯溝の口は、向きを鍵の挿入方向と逆にするように組み立てられている。前記制動棒上の首位制動歯は、上斜面と下斜面とにより凸角をなし、制動棒の首位制動歯は、首位板バネの板バネ歯溝に着脱するように構成されている。
【００４４】
前記首位板バネの板バネ歯溝は二等辺三角形であり、上斜面及び下斜面は角の二等分線で対称になっている。この上斜面及び下斜面の角の二等分線は、後位板バネの板バネ歯溝の底平面と平行であるか、又は同一平面内に位置している。
【００４５】
前記後位板バネの板バネ歯溝の上斜面と板バネ歯溝の底平面との夾角は４３°〜６０°であり、後位制動歯上斜面と後位制動歯底平面とからなる夾角は３０°〜６０°であり、制動歯底平面と後位板バネの板バネ歯溝の底平面とは平行になっている。前記首位板バネの板バネ歯溝は二等辺三角形を呈し、上下２つの斜面と角の二等分線との夾角は、いずれも４３°〜６０°になっている。前記制動棒の首位制動歯は、首位板バネ方向を向き、首位制動歯の凸角を構成する上下２つの斜面と角の二等分線との夾角は、いずれも３０°〜６０°になっている。
【００４６】
前記後位板バネの板バネ歯溝の上斜面と板バネ歯溝の底平面との夾角は４５°を呈し、前記制動棒の後位制動歯上斜面と底平面とからなる夾角は４５°になっている。前記首位板バネの板バネ歯溝は二等辺三角形を呈し、上下２つの斜面と角の二等分線との夾角は、いずれも４５°になっている。前記制動棒の首位制動歯は、首位板バネ方向を向き、首位制動歯の上下２つの斜面と角の二等分線との夾角は、いずれも４５°になっている。
【００４７】
鍵の先端部の押し斜面と鍵の挿入方向との夾角は４５°以下になっている。
【００４８】
前記各後位板バネには、上から下に平行に均等に配置された少なくとも２つの板バネ歯溝が設けられ、板バネ歯溝の方向、大きさ、及び角度は同じになっている。開錠状態で、各後位板バネ上で、そのうちの１つの板バネ歯溝の底平面は、制動棒の後位制動歯底平面と同一平面内に位置している。
【００４９】
前記鍵の各中間平台は互いに平行であり、内筒の軸線と平行になっている。
【００５０】
この種の技術の実施形態において、連動式防犯シリンダー錠の開錠及び施錠ステップは、それぞれ以下のとおりである。
【００５１】
開錠ステップは以下のとおりである。
【００５２】
（ａ）後位板バネの開錠プロセスにて、鍵の進入により、鍵先端部の押し斜面が首位板バネ鍵穴の接触面に当接するときに、後位板バネ鍵穴の接触面は、すべて鍵の中間平台に押された開錠状態にあり、後位板バネに連動のない状態の一次開錠を実現する。
【００５３】
（ｂ）首位板バネ開錠プロセスにて、鍵が進入を継続し、鍵の先端部の押し斜面が、首位板バネ鍵穴の接触面に当接してから中間平台により首位板バネ鍵穴の接触面を完全に押すまでのプロセスを完了し、首位板バネを下向きに移動させて開錠する。
【００５４】
（ｃ）制動棒開錠プロセスにて、同時に首位板バネの縦方向の移動を用いて、首位板バネの板バネ歯溝の上斜面が移動カムのバンプに相当し、この移動カムのバンプが制動棒の首位制動歯の凸角の上斜面を下向きに押し、斜面で制動棒を後位板バネの方向に押し動かして移動させることにより、制動棒の制動端に、外筒の底端の制動溝との係合を離脱させ、連動状態の二次開錠を実現する。
【００５５】
（ｄ）同時に、制動棒における後位板バネの方向への移動に伴い、制動棒の後位制動歯を後位板バネの板バネ歯溝に噛み合わせる。
【００５６】
施錠ステップは以下のとおりである。
【００５７】
（ａ）鍵を引き抜くプロセスにて、先ず鍵を首位板バネの鍵穴から離脱させ、首位板バネの上端がバネにより外筒の軸方向溝に入り、施錠位置に戻り、連動のない状態の一次施錠を実現する。
【００５８】
（ｂ）鍵を引き抜くプロセスにて、鍵の引き斜面によって、その中の１つ又は複数の後位板バネを下向きに移動させる。後位板バネの下向きの移動とともに、後位板バネの板バネ歯溝の上斜面が移動カムのバンプに相当し、この移動カムのバンプが制動棒上の後位制動歯を押すことによって、制動棒を外筒の前端部に向けて縦方向に移動させ、制動棒の制動端を外筒の前端部の制動溝と係合させ、連動状態の二次施錠を実現する。
【００５９】
（ｃ）鍵を完全に引き出した後、後位板バネの上端がバネによって軸方向溝に入り、首位板バネとともに連動のない状態の一次施錠を完了する。
【００６０】
（ｄ）制動棒が制動溝の位置に入った後、制動棒の首位制動歯の凸角が首位板バネの板バネ歯溝に噛み合う。
【００６１】
鍵がない状態で、技術的に開錠する場合の分析：
【００６２】
１．前位板バネを押し上げるには、摩擦力によらなければ各後位板バネを１つ１つ開錠位置に入れることができない。後位板バネと内筒との摩擦力は、内筒の回転角が後位板バネに与える圧力によって生じる。内筒は、制動棒の制動端と制動溝との係合で施錠され、転動させることができないため、内筒及び後位板バネは摩擦力を生じることができず、後位板バネを押し上げることができない。その結果、各板バネはバネによって施錠状態に戻る。
【００６３】
２．首位板バネを押し上げるには、制動棒を後位板バネの方向に移動させ、制動棒上の後位制動歯を後位板バネの板バネ歯溝の中に入れる。この際に、首位板バネは開いているが、後位板バネは後位制動歯によって施錠されている。
【００６４】
３．このとき、首位板バネに対する制御を緩めると、首位板バネはバネによって施錠位置に戻ってから、後位板バネを押し上げ、制動棒の制動端を制動溝の位置に戻し、内筒は回転不能である。
【００６５】
４．首位板バネの制御を緩めずに、後位板バネを持ち上げると、後位制動歯は後位板バネの板バネ歯溝と噛み合わせるため、この際に、制動棒は首位板バネによって制止される。そのため、後位板バネを押し上げて縦方向に移動させることができず、後位板バネは依然として施錠位置にある。
【００６６】
本発明で提供する側位連動式防犯シリンダー錠は、シリンダー錠内部で、従来技術の板バネ、制動棒、及び外筒の相互制動が残されているだけでなく、制動棒、板バネ、及び鍵の相互連動も行っている。この連動構造により実現される二次開錠及び二次施錠によって、技術的に開錠する場合には一度に複数のことを行う必要があり、シリンダー錠の防犯性能が有効に高まる。バリューエンジニアリングにおいても、２つの制動棒等の余計な機能の設計が回避され、構造が有効に簡略化される。同時に、構造上、従来の加工工程との整合性に特に注意し、制動棒側位取付を採用し、制動棒を後位板バネ及び首位板バネと側位連動させ、後位板バネ及び首位板バネに、制動棒及び板バネ溝穴と同時に係合する現状を有効に回避されている。これによって、内筒の加工工程の何度を下げるとともに、制動棒並びに後位板バネ及び首位板バネの加工の難易度も有効に下げる。
【図面の簡単な説明】
【００６７】
【図１】本発明の第１実施形態の連動のない状態の一次開錠の組立図である。
【図２】図１のＢ−Ｂの断面図である。
【図３】本発明の第１実施形態の連動状態の二次開錠組立図である。
【図４】本発明の第１実施形態の内筒の全断面正面図である。
【図５】図４のＡ−Ａの断面図である。
【図６】本発明の第１実施形態の内筒の上面図である。
【図７】本発明の第１実施形態の制動棒の全断面正面図である。
【図８】本発明の第１実施形態の制動棒の上面図である。
【図９】図８のＤ−Ｄの断面図である。
【図１０】図８のＣ−Ｃの断面図である。
【図１１】本発明の第１実施形態の前位板バネの正面図である。
【図１２】本発明の第１実施形態の前位板バネの上面図である。
【図１３】本発明の第１実施形態の前位板バネの左側面断面図である。
【図１４】本発明の第１実施形態の末位板バネの断面図である。
【図１５】本発明の第１実施形態の外筒の正面断面図である。
【図１６】図１５のＥ−Ｅの断面図である。
【図１７】本発明の第１実施形態の鍵の正面図である。
【図１８】本発明の第２実施形態の連動のない状態の一次開錠の組立図である。
【図１９】図１８のＡ−Ａの断面組立図である。
【図２０】本発明の第２実施形態の連動状態の二次開錠組立図である。
【図２１】本発明の第２実施形態の内筒の局部断面図である。
【図２２】図２１のＣ−Ｃの断面図である。
【図２３】図２１のＤ−Ｄの断面図である。
【図２４】本発明の第２実施形態の後位板バネの正面図である。
【図２５】本発明の第２実施形態の後位板バネの左側面図である。
【図２６】本発明の第２実施形態の首位板バネの正面図である。
【図２７】本発明の第２実施形態の首位板バネの左側面図である。
【図２８】本発明の第２実施形態の制動棒の正面図である。
【図２９】図２８のＢ−Ｂの断面図である。
【図３０】本発明の第２実施形態の制動棒の上面図である。
【図３１】本発明の第２実施形態の制動棒の立体図である。
【図３２】図１８の連動のない状態の一次開錠の上面組立図である。
【図３３】図２０の連動状態の二次開錠の上面組立図である。
【図３４】本発明の第２実施形態の鍵の正面図である。
【発明を実施するための形態】
【００６８】
［第１実施形態］
図１、図２、及び図３に示すように、前記連動式開閉防犯シリンダー錠は、外筒１６の前端部にエンドキャップ３が係合して取り付けられ、エンドキャップ３は内筒２の前端部と間隙係合する。内筒の上部で、軸線方向に沿って、制動棒１９と間隙係合する内筒溝１８が設けられている。内筒２の末端に、内筒連動端１２が設けられている。内筒連動端１２に、連結直口１３が設けられ、他の錠体の連動設置のための予備とする。内筒は、内筒軸肩１５及び内筒末端のストッパ溝１１上の開口ストッパ２３によって軸方向に位置決めされる。末位板バネ９の前のすべての板バネは、前位板バネ６と呼ばれる。前位板バネ６及び末位板バネ９は、内筒の軸線方向で間隔を空けて分布する板バネ溝穴２６の中に取り付けられ、前位板バネ６及び末位板バネ９は、内筒の板バネ溝穴２６と間隙係合する。鍵１は、内筒の仕切り板鍵穴２７、前位板バネ鍵穴、及び末位板バネ鍵穴２２と係合する。前記制動棒の前端部に、外筒前端部の周方向溝４又は外筒溝１７と係合するボス５が設けられている。制動棒の末端に、外筒底端の制動溝１０と係合する制動端３２が設けられている。制動棒上に、前位板バネの板バネ歯溝と噛み合う前位制動歯７と、末位板バネの板バネ歯溝と噛み合う末位制動歯８が設けられている。図１において、鍵１の先端部が末位板バネ９の接触面１４に当接しているが、押されていない状態を示す。図３において、鍵１の先端部が末位板バネ９の接触面１４に押された状態を示す。
【００６９】
図４、図５、及び図６に示すように、内筒の上部に開口状の直口の内筒溝１８が設けられ、内筒溝は内筒軸線の方向に設けられ、内筒溝の底平面の縦方向に沿って間隔を空けて分布した板バネ溝穴２６が設けられ、板バネ溝穴は内筒底平面と垂直である。板バネ溝穴と板バネ溝穴との間が仕切り板２４であり、仕切り板２４に仕切り板鍵穴２７が設けられている。仕切り板鍵穴２７及び内筒前端部鍵穴２９は、同一軸線に位置する。内筒連動端１２に設けられた連結穴２８、連結直口１３ｊは、錠体との連動のための予備であり、その構造は、錠型の違いに伴い変化する。各板バネ溝穴２６の両側に、これと通じるバネ穴２５が対称に設けられ、バネ穴の下方にバネ座３０が設けられている。
【００７０】
図７、図８、図９、及び図１０に示すように、制動棒１９の縦方向に、対応する前位板バネの板バネ歯溝と噛み合う前位制動歯７が間隔を空けて分布し、前位制動歯７の横方向の幅は、前位板バネ及び末位板バネの横方向の幅よりも大きく、前位制動歯の上斜面と制動棒の底平面とが３０°〜６０°の夾角をなし、角度は４５°であることが好ましい。制動棒の底平面は、板バネ歯溝の底平面と平行である。制動棒に末位制動歯８が設けられている。前記制動棒の末位制動歯の前位板バネ方向を向いた一端の上斜面と底平面との夾角は３０°〜６０°であり、４５°であることが好ましい。前記制動棒の末位制動歯の末位板バネ方向を向いた一端は、上斜面３１と下斜面３３とにより凸角をなし、上斜面３１及び下斜面３３の角の二等分線の夾角は、いずれも３０°〜６０°であり、角度は４５°であることが好ましい。制動棒の末端に、外筒底端の制動溝に係合する制動端３２が設けられている。制動棒の前端部に、外筒溝及び外筒の周方向溝に係合するボス５が設けられている。
【００７１】
図１１、図１２、図１３、及び図１４に示すように、各前位板バネの表面又は裏面に、少なくとも１つの板バネ歯溝が設けられ、前位板バネの板バネ歯溝の上斜面３４と板バネ歯溝の底平面３５とが交わり直角三角形を呈し、前位板バネにおける板バネ歯溝の口の向きは、鍵挿入方向と一致する。前記前位板バネの板バネ歯溝の上斜面と板バネ歯溝の底平面との夾角は４３°〜６０°であり、４５°であることが好ましい。板バネ歯溝の底平面は、制動棒の底平面と平行である。末位板バネの表面又は裏面に、少なくとも１つの板バネ歯溝が設けられ、前記末位板バネの板バネ歯溝は二等辺三角形を呈し、上下２つの斜面３７，３８が二等辺三角形をなし、上下２つの斜面と角の二等分線との夾角は、いずれも４３°〜６０°であり、４５°であることが好ましい。上下２つの斜面の角の二等分線は、制動棒の底平面と平行である。末位板バネにおける板バネ歯溝の口の向きは、鍵挿入方向と逆である。前位板バネ及び末位板バネの中央に鍵穴が設けられ、鍵穴の下底の接触面３６，１４の断面は面取り状又は円弧状を呈し、鍵を引き抜くのに便利である。板バネの両側に、バネリミット座２１が対称に設けられ、それと内筒のバネ座とによって、バネ穴内のバネの位置を制限する。前位板バネ及び後位板バネに、外筒内で上下に比較的大きな移動スペースをもたせるため、前位板バネ及び後位板バネの上下円弧面を平頂状に加工し、縦方向の高さを短縮することができる。前位板バネ及び後位板バネの上下のいずれかの弧面を平頂状に加工し、縦方向の高さを適切に短縮してもよい。
【００７２】
前記各前位板バネには、上から下に平行に均等に配置された少なくとも２つの板バネ歯溝が設けられ、板バネ歯溝の方向、大きさ、及び角度は同じである。開錠状態で、各前位板バネ上で、そのうちの１つの板バネ歯溝の底平面は、制動棒の前位制動歯底平面と同一平面にある。
【００７３】
図１５及び図１６に示すように、前記制動棒の末位に、外筒底端の制動溝１０と係合する制動端３２が設けられている。内筒溝１７は、前位板バネ及び後位板バネの位置を制限するために用いられ、前位板バネ及び後位板バネと係合するときに、内筒が施錠され、転動を生じることができない。外筒の前端部に、制動棒のボス５と係合する周方向溝４が設けられている。制動棒の制動端が制動溝を離脱した後、制動棒の前端部が外筒溝から周方向溝に入り、内筒に転動を生じさせることができる。
【００７４】
図１７に示すように、前記鍵１の歯は、中間平台３９，４０と、押し斜面４２と、引き斜面４３とからなり、中間平台は、押し斜面と引き斜面との間をつなぐものである。中間平台のどの部分の縦方向進入長も、中間平台進入プロセスにおいて板バネ鍵穴を押し上げたその他の接触面と等しい高さにおける進入長であることを満たす必要がある。鍵全体において、少なくとも１つの引き斜面を有し、引き斜面の高さは、前位制動歯の高さ、又は階段状の引き斜面の高さの和に等しい。鍵の先端部には、押し斜面４１が設けられている。鍵は、中間平台の高さに基づき番号をつける。鍵の先端部は、４５°以下の押し斜面４１である。前記鍵の各中間平台は互いに平行であり、内筒の軸線と平行である。
【００７５】
図１、図３、及び図１７に示すように、開錠及び施錠ステップは、それぞれ以下のとおりである。
【００７６】
開錠ステップは以下のとおりである。
【００７７】
（ａ）前位板バネの開錠プロセス：鍵１の進入により、鍵の先端部の押し斜面４１が末位板バネ鍵穴の接触面１４に当接するときに、前位板バネ６鍵穴の接触面は、すべて鍵の中間平台３９，４０に押された開錠状態にあり、前位板バネ６に連動のない状態の一次開錠を実現する。
【００７８】
（ｂ）末位板バネ開錠プロセス：鍵１が進入を継続し、鍵の先端部の押し斜面４１が、末位板バネ鍵穴の接触面１４に当接してから中間平台により末位板バネ９鍵穴の接触面１４を完全に押すまでのプロセスを完了し、末位板バネを下向きに移動させて開錠する。
【００７９】
（ｃ）制動棒開錠プロセス：同時に末位板バネの移動を用いて、末位板バネ９の板バネ歯溝の上斜面が制動棒の末位制動歯８の凸角の上斜面を下向きに押し、斜面で制動棒を前位板バネ６の方向に押し動かして移動させることにより、制動棒３２の制動端に、外筒底端の制動溝１０との係合を離脱させ、連動状態の二次開錠を実現する。
【００８０】
（ｄ）同時に、制動棒の前位板バネ６方向への移動に伴い、制動棒の前位制動歯７を前位板バネの板バネ歯溝に噛み合わせる。
【００８１】
施錠ステップは以下のとおりである。
【００８２】
（ａ）鍵１を引き抜くプロセスにおいて、先ず鍵を末位板バネ９の鍵穴から離脱させ、末位板バネの上端がバネにより外筒溝１７に入り、施錠位置に戻り、連動のない状態の一次施錠を実現する。
【００８３】
（ｂ）鍵１を引き抜くプロセスにおいて、鍵の引き斜面４３によって、その中の１つ又は複数の前位板バネを下向きに移動させる。前位板バネ６の下向きの移動とともに、前位板バネの板バネ歯溝の上斜面が制動棒上の前位制動歯７を押すことによって、制動棒を外筒の底端に向けて縦方向に移動させ、制動棒の制動端３２を外筒の底端の制動溝１０と係合させ、連動状態の二次施錠を実現する。
【００８４】
（ｃ）鍵を完全に引き出した後、前位板バネ６の上端がバネによって外筒溝１７に入り、末位板バネとともに連動のない状態の一次施錠を完了する。
【００８５】
（ｄ）制動棒が制動溝の位置に入った後、制動棒の末位制動歯の凸角が末位板バネの板バネ歯溝に噛み合う。
【００８６】
［第２実施形態］
図１８、図１９、図２０、図２１、図２２、及び図２３に示すように、側位連動式防犯シリンダー錠は、上下に対称な軸方向溝１０７，１１２、周方向溝、及び外筒前端部の制動溝を含む外筒１０４と、外筒後端部に係合して取り付けられたエンドキャップ１０２と、外径と外筒の対応する内径とが間隙係合する内筒１０３とを含む。前記内筒は、軸方向に沿って間隔分布した１セットの板バネ溝穴１３７と、板バネ溝穴の間の仕切り板１０６と、軸方向に沿って形成された制動棒スライド溝１３６と、前後に貫通した内筒鍵穴１３８とを含む。前記内筒鍵穴は、鍵１０１に係合し、各板バネ溝穴の同一の側に、これと縦方向に通じたバネ穴１１８が設けられ、バネ穴の下方にバネ台座１１９が設けられている。内筒の前端部に、内筒連動端１０９が設けられ、内筒は、前軸肩１１０、後軸肩１１１及び外筒１０４によってエンドキャップ１０２と係合し、内筒の軸方向の自由度を限定する。内筒上の制動棒スライド溝１３６の対称面１１４は、垂直な内筒対称面１１５と交わり、制動棒スライド溝１３６の対称面１１４は、板バネ溝穴の高さの中央に位置し、内筒上の制動棒スライド溝は、内筒の板バネ溝穴に通じる。首位板バネ１０８は、最前端（すなわち、首端）の板バネ溝穴と間隙係合し、１セットの後位板バネ１０５は、対応する板バネ溝穴１３７と間隙係合し、前記軸方向溝１０７，１１２と間隙係合する。首位板バネ及び後位板バネの中央に板バネ鍵穴１２０が形成されている。前記各バネ穴１１８内には、後位板バネ及び首位板バネを制御するバネ１１７が置かれ、バネはバネ台座１１９とバネ押し座１１６との間に置かれる。
【００８７】
図２４、図２５、図２６、及び図２７に示すように、首位板バネ１０８に少なくとも１つの板バネ歯溝１２１が形成され、首位板バネ１０８の板バネ歯溝１２１は、上斜面１２２と下斜面１２３とにより夾角をなし、二等辺三角形を呈し、上下２つの斜面と角の二等分線の夾角は、いずれも４５°である。前記上斜面及び下斜面の角の二等分線は、後位板バネの板バネ歯溝の底平面と平行であるが、又は同一平面上にある。首位板バネの板バネ歯溝１２１は、首位板バネの後側平面の上下方向の中央に形成され、首位板バネの後側平面は、内筒対称面１１５に垂直であり、首位板バネの板バネ歯溝の口は、向きを鍵挿入方向と逆にするように組み立てられている。
【００８８】
各後位板バネ１０５に少なくとも１つの板バネ歯溝１２４が形成され、各後位板バネには、上から下に平行に均等に配置された少なくとも２つの板バネ歯溝が設けられ、板バネ歯溝の方向、大きさ、及び角度は同じである。後位板バネ１０５の板バネ歯溝１２４は、上斜面１２６と底平面１２５とにより直角三角状をなし、板バネ歯溝の上斜面と底平面との夾角は４５°を呈する。後位板バネの板バネ歯溝は、後位板バネの前側平面の上下方向の中央に形成されている。後位板バネの前側平面は、内筒対称面１１５に垂直であり、各後位板バネの板バネ歯溝の口は、向きを鍵挿入方向と一致させるように組み立てられている。
【００８９】
図２８、図２９、図３０、及び図３１に示すように、前記制動棒１２７は、縦方向に沿って間隔を空けて分布した１セットの後位制動歯１２９と、首位制動歯１３０とを含み、制動棒の後端部にボス１２８が形成され、制動棒の前端部に制動端１３１が形成されている。前記制動棒上の首位制動歯は、上斜面１３３と下斜面１３２とにより凸角をなし、首位板バネの板バネ歯溝と噛み合う。前記制動棒の首位制動歯は、首位板バネの方向を向く。制動棒後部の後位制動歯の上斜面１３４及び底平面１３５は夾角をなし、後位板バネの板バネ歯溝と噛み合う。前記制動棒の後位制動歯の上斜面及び底平面がなす夾角は４５°である。前記制動棒の首位制動歯の上斜面及び下斜面と角の二等分線との夾角は、いずれも４５°である。開錠状態で、各後位板バネにおいて、いずれかの板バネ歯溝の底平面が、制動棒の後位制動歯の底平面と同一平面にある。
【００９０】
図３２及び図３３に示すように、制動棒１２７は、前記制動棒スライド溝と間隙係合し、制動棒の後端部にボス１２８が形成され、前記周方向溝１１３と間隙係合する。制動棒の前端部に制動端１３１が形成され、前記制動溝１３９と間隙係合する。
【００９１】
図３４に示すように、鍵は、後位板バネの鍵穴及び首位板バネの鍵穴と係合する。前記鍵は、中間平台１４０と、押し斜面１４１，１４２と、引き斜面１４３とからなる鍵の歯を含む。中間平台１４０は、押し斜面と引き斜面との間をつなぐ。鍵の先端部の押し斜面と鍵挿入方向との夾角は４５°以下である。前記鍵の各中間平台は互いに平行であり、内筒の軸線と平行である。
【００９２】
図１８及び図３２、並びに図２０及び図３３に示すように、開錠及び施錠ステップは、それぞれ以下のとおりである。
【００９３】
一、開錠ステップは以下のとおりである。
【００９４】
（ａ）後位板バネ１０５開錠プロセス：鍵１０１の進入により、鍵の先端部の押し斜面１４１が首位板バネ１０８鍵穴の接触面に当接するときに、後位板バネ鍵穴の接触面は、すべて鍵の中間平台１４０に押された開錠状態にあり、後位板バネに連動のない状態の一次開錠を実現する。
【００９５】
（ｂ）首位板バネ１０８開錠プロセス：鍵１０１が進入を継続し、鍵の先端部の押し斜面１４１が、首位板バネ鍵穴の接触面に当接してから中間平台により首位板バネ鍵穴の接触面を完全に押すまでのプロセスを完了し、首位板バネを下向きに移動させて開錠する。
【００９６】
（ｃ）制動棒開錠プロセス：同時に首位板バネ１０８の縦方向の移動を用いて、首位板バネの板バネ歯溝の上斜面が制動棒の首位制動歯の上斜面を下向きに押し、斜面で制動棒を後位板バネの方向に押し動かして移動させることにより、制動棒１２７の制動端に、外筒底端の制動溝１３９との係合を離脱させ、連動状態の二次開錠を実現する。
【００９７】
（ｄ）同時に、制動棒の後位板バネ方向への移動に伴い、制動棒の後位制動歯を後位板バネの板バネ歯溝に噛み合わせる。
【００９８】
施錠ステップは以下のとおりである。
【００９９】
（ａ）鍵を引き抜くプロセスにおいて、先ず鍵１０１を首位板バネ１０８の鍵穴から離脱させ、首位板バネの上端がバネにより外筒の軸方向溝に入り、施錠位置に戻り、連動のない状態の一次施錠を実現する。
【０１００】
（ｂ）鍵を引き抜くプロセスにおいて、鍵の引き斜面によって、その中の１つ又は複数の後位板バネを下向きに移動させる。後位板バネの下向きの移動とともに、後位板バネの板バネ歯溝の上斜面が制動棒上の後位制動歯を押すことによって、制動棒を外筒の前端部に向けて縦方向に移動させ、制動棒の制動端を外筒の前端部の制動溝と係合させ、連動状態の二次施錠を実現する。
【０１０１】
（ｃ）鍵を完全に引き出した後、後位板バネの上端がバネによって軸方向溝に入り、首位板バネとともに連動のない状態の一次施錠を完了する。
【０１０２】
（ｄ）制動棒が制動溝の位置に入った後、制動棒の首位制動歯が首位板バネの板バネ歯溝に噛み合う。
【０１０３】
鍵がない状態で、技術的に開錠する場合の分析：
【０１０４】
１．後位板バネを押し上げるには、摩擦力によらなければ各後位板バネを１つ１つ開錠位置に入れることができない。後位板バネと内筒との摩擦力は、内筒の回転角が後位板バネに与える圧力によって生じる。内筒は、制動棒の制動端と制動溝との係合で施錠され、転動させることができないため、内筒及び後位板バネは摩擦力を生じることができず、後位板バネを押し上げることができない。その結果、各板バネはバネによって施錠状態に戻る。
【０１０５】
２．首位板バネを押し上げるには、制動棒を後位板バネの方向に移動させ、制動棒上の後位制動歯を後位板バネの板バネ歯溝の中に入れる。この際に、首位板バネは開いているが、後位板バネは後位制動歯によって施錠されている。
【０１０６】
３．このとき、首位板バネに対する制御を緩めると、首位板バネはバネによって施錠位置に戻ってから、後位板バネを押し上げ、制動棒の制動端を制動溝の位置に戻し、内筒は回転不能である。
【０１０７】
４．首位板バネの制御を緩めずに、後位板バネを持ち上げると、後位制動歯は後位板バネの板バネ歯溝と噛み合わせるため、この際に、制動棒は首位板バネによって制止される。そのため、後位板バネを押し上げて縦方向に移動させることができず、後位板バネは依然として施錠位置にある。
【符号の説明】
【０１０８】
１  鍵
２  内筒
３  エンドキャップ
４  周方向溝
５  ボス
６  前位板バネ
７  前位制動歯
８  末位制動歯
９  末位板バネ
１０  制動溝
１１  ストッパ溝
１２  内筒連動端
１３  連結直口
１４  接触面
１５  内筒軸肩
１６  外筒
１７  外筒溝
１８  内筒溝
１９  制動棒
２０  バネ
２１  バネリミット座
２２  鍵穴
２３  開口ストッパ
２４  仕切り板
２５  バネ穴
２６  板バネ溝穴
２７  仕切り板鍵穴
２８  連結穴
２９  内筒前端鍵穴
３０  バネ座
３１  末位制動歯上斜面
３２  制動端
３３  末位制動歯下斜面
３４  前位板バネの板バネ歯溝上斜面
３５  前位板バネの板バネ歯溝底平面
３６  接触面
３７  末位板バネの板バネ歯溝上斜面
３８  末位板バネの板バネ歯溝下斜面
３９  中間平台
４０  中間平台
４１  押し斜面
４２  押し斜面
４３  引き斜面
１０１  鍵
１０２  エンドキャップ
１０３  内筒
１０４  外筒
１０５  後位板バネ
１０６  仕切り板
１０７  軸方向溝
１０８  首位板バネ
１０９  内筒連動端
１１０  前軸肩
１１１  後軸肩
１１２  軸方向溝
１１３  周方向溝
１１４  制動棒スライド溝対称面
１１５  内筒対称面
１１６  バネ押し座
１１７  バネ
１１８  バネ穴
１１９  バネ台座
１２０  板バネ鍵穴
１２１  首位板バネの板バネ歯溝
１２２  首位板バネの板バネ歯溝上斜面
１２３  首位板バネの板バネ歯溝下斜面
１２４  後位板バネの板バネ歯溝
１２５  後位板バネの板バネ歯溝底平面
１２６  後位板バネの板バネ歯溝上斜面
１２７  制動棒
１２８  制動棒ボス
１２９  後位制動歯
１３０  首位制動歯
１３１  制動端
１３２  首位制動歯下斜面
１３３  首位制動歯上斜面
１３４  後位制動歯上斜面
１３５  後位制動歯底平面
１３６  制動棒スライド溝
１３７  板バネ溝穴
１３８  内筒鍵穴
１３９  制動溝
１４０  中間平台
１４１  押し斜面
１４２  押し斜面
１４３  引き斜面
【図１−２】
2013500408.tif 000003
【図３】
2013500408.tif 000004
【図４】
2013500408.tif 000005
【図５】
2013500408.tif 000006
【図６】
2013500408.tif 000007
【図７】
2013500408.tif 000008
【図８．１０】
2013500408.tif 000009
【図９】
2013500408.tif 000010
【図１１】
2013500408.tif 000011
【図１２】
2013500408.tif 000012
【図１３】
2013500408.tif 000013
【図１４】
2013500408.tif 000014
【図１５】
2013500408.tif 000015
【図１６】
2013500408.tif 000016
【図１７】
2013500408.tif 000017
【図１８】
2013500408.tif 000018
【図１９】
2013500408.tif 000019
【図２０】
2013500408.tif 000020
【図２１．２３】
2013500408.tif 000021
【図２２】
2013500408.tif 000022
【図２４】
2013500408.tif 000023
【図２５】
2013500408.tif 000024
【図２６−２７】
2013500408.tif 000025
【図２８】
2013500408.tif 000026
【図２９】
2013500408.tif 000027
【図３０】
2013500408.tif 000028
【図３１】
2013500408.tif 000029
【図３２】
2013500408.tif 000030
【図３３】
2013500408.tif 000031
【図３４】
2013500408.tif 000032
【国際調査報告】
2013500408.tif 000033
2013500408.tif 000034
2013500408.tif 000035
2013500408.tif 000036
2013500408.tif 000037